(57)【要約】  制御ノブ組立体（１６）は前部材（１２）および後部材（３２）を有するハウジングを含む。制御ノブ（２２）が前部材（１２）内の開口（３６）内で回転かつ軸運動するために取り付けられる。前記回転および軸運動は制御設定に関連し、電気制御情報を発生する制御部材（１８）の制御シャフト（５２）へ伝達される。制御ノブ（２２）および制御シャフト（５２）は相互に連結されて、制御ノブ（２２）上に制御シャフトへ向かって軸方向に加わる過剰力がハウジング（１２，３２）により処理されるようにする。
2008527625.tif 000002
【特許請求の範囲】
【請求項１】
前部材（１２）および後部材（３２）を有するハウジング、前記前部材（１２）内の開口（３６）中で回転かつ軸運動するように取り付けられた制御ノブ（２２）を含み、前記回転および軸運動が制御設定に関連して、電気制御情報を発生する制御部材（１８）の制御シャフト（５２）へ伝達される制御ノブ組立体（１６）において、
前記制御ノブ（２２）および前記制御シャフト（５２）は、前記制御ノブ（２２）および制御シャフトの所定量の軸運動を可能にして制御設定を実行し、かつ軸方向で前記制御シャフト（５２）に向けて前記制御ノブ（２２）上に加わる過剰力が前記制御シャフト（５２）に影響を与えることなくハウジング（１２，３２）の後部材（３２）へ伝達されるように相互に連結されている、制御ノブ組立体。
【請求項２】
第一バネ手段（４２）が前記制御ノブ（２２）を前記前部材（１２）内の開口（３６）から、前記制御ノブ（２２）のフランジ（３８）が前記開口（３６）の周囲の内面（４０）に当接する位置へ、向かう方向において付勢するために設けられ、かつ前記制御ノブ（２２）は、制御設定のための軸運動を前記制御シャフト（５２）へ伝達するために前記制御ノブ（２２）の軸運動に対応して、前記制御シャフト（５２）と摺動自在に共働するハブ部（５０）を有し、前記ハブ部材（５０）の底（５６）と前記制御シャフト（５２）の端（５４）との間に空間ｄが介在する、請求項１の組立体。
【請求項３】
前記ハブ部（５０）は、過剰力が前記制御シャフト（５２）に向けて前記制御ノブ（２２）上に加わるときに前記ハウジングの後部材（３２）の表面（６０）と共働する対応する表面（５８）を有する、請求項２の組立体。
【請求項４】
前記制御シャフト（５２）を有する前記制御部材（１８）は前記ハウジングの後部材（３２）の外側へ取り付けられかつ前記ハウジングの前部材（１２）へ向けてバネ付勢されている、請求項１から３のいずれか１の組立体。
【請求項５】
前記制御ノブ（２２）の固定角位置を決定するためにインデックス装置が設けられ、前記インデックス装置は前記制御ノブ（２２）の運動に追従するように取り付けられた第一インデックス部材（４４）、および前記ハウジングの後部材（３２）に固定設置された第二インデックス部材（４６）を含む、請求項１から４のいずれか１の組立体。
【請求項６】
第一バネ手段（４２）はコイルバネであり、前記制御ノブ（２２）の内部の環状面（４３）および前記第一インデックス部材（４４）上の環状面（４５）と係合するように構成されている、請求項５の組立体。
【請求項７】
前記コイルバネ（４２）の各端と前記制御ノブ（２２）内の対応する環状面（４３）および前記第一インデックス部材（４４）上の環状面（４５）との間にゴムワッシャ（４７，４９）が設置されている、請求項６の組立体。
【発明の詳細な説明】
【技術分野】
【０００１】
本発明は、前部材および後部材を有するハウジング、前記前部材の開口内で回転かつ軸運動するために取り付けられた制御ノブを含み、前記回転および軸運動が制御設定に関連して、電気制御情報を発生する制御部材の制御シャフトへ伝達される制御ノブ組立体に関する。
【背景技術】
【０００２】
この種の制御ノブ組立体は、プログラムセレクタ装置に関連して洗濯機に頻繁に使用される。特に、コインランドリー（登録商標）または居住区のクリーニング施設において使用される専門業者の洗濯機に関し、過剰磨耗および厳しい取り扱いが発生し、制御ノブの乱暴な取り扱いに起因してプログラムセレクタ装置に損傷を与えることがある。
【発明の開示】
【発明が解決しようとする課題】
【０００３】
従って、本発明の課題は、かかる乱暴な取り扱いの効果を最小限にし、かつ制御ノブの使用によって種々のプログラムを設定することとの関係で強健で厳しい取り扱いに耐える制御ノブ組立体を提供することにある。
【課題を解決するための手段】
【０００４】
上記課題は、特許請求の範囲の請求項１に記載の特徴部に記載の特徴を有する制御ノブ組立体により達成される。好適実施形態はその従属項に記載されている。
【発明を実施するための最良の形態】
【０００５】
添付図面を参照して次に本発明を詳細に説明する。
【０００６】
図面に示されたプログラムセレクタ装置は、前部材１２および後カバー１４を有するハウジング１０を含む。ハウジング１０内には、印刷回路盤２０上に取り付けられたＣＰＵへ電気信号を発信する電子プログラムセレクタ１８を備えた制御ノブ組立体１６が取り付けられる。この信号は制御ノブ組立体１６内に含まれる制御ノブ２２の動作により形成されるプログラム設定に対応して発生する。プログラム設定はハウジングの前部材１２内の開口２６内に取り付けられるディスプレイ２４上に表示される。前部材１２および後カバー１４はハウジングを形成し、それぞれのハウジング部材１２，１４上に設けられたスナップ式締結部材２８，３０により組立てられる。
【０００７】
制御ノブ２２および電子プログラムセレクタ１８に加えて、制御ノブ組立体１６は、適宜螺子３４により前部材１２へ固定される後ハウジング部材３２を含む。制御ノブ２２は、前部材１２内に形成され開口３６内における回転および軸運動のために取り付けられる。制御ノブ２２の前方部は開口３６内に適正に取り付けられ、制御ノブ２２の後部は拡大した直径を有し前部材１２の内部の環状面４０と当接する構成のフランジ３８を形成する（図３参照）。このようにして、制御ノブ２２の完全除去は阻止され、これは、侵入活動(intrusive activities)からの可能損傷に対してプログラムセレクタ装置を保護するのを助ける。コイルバネ４２が制御ノブ２２を、開口３６から、フランジ３８が環状面４０と係合する位置へ、向かう方向において付勢するように設けられる。
【０００８】
制御ノブ組立体１６は、選択されたプログラム設定に対応して制御ノブ２２の複数の固定角位置を決定するインデックス装置を含む。インデックス装置は制御ノブ２２と共に運動するために取り付けられる第一インデックス部材４４、および前記ハウジングの後部材３２に固定設置された第二インデックス部材４６を含む。コイルバネ４２は、制御ノブ２２の内部に設けられた環状面４３と一端で係合するように構成される。コイルバネ４２の反対端は第一インデックス部材４４上に設けられた対応する環状面４５と係合する。制御ノブ２２の回転運動による可能ノイズを最小限にするために、ゴムワッシャ４７，４９がコイルバネ４２のそれぞれの端と環状面４３および環状面４５との間に設けられる。
【０００９】
電子プログラムセレクタ１８は、後ハウジング部材３２の後側に取り付けられ、バネ装置４８が螺子３４により後ハウジング部材３２と共に前部材１２に取り付けられ、電子プログラムセレクタ１８の一種の浮動取り付けを固定する。
【００１０】
特に図３を参照すると、制御ノブ２２は、電子プログラムセレクタ１８のシャフト５２と共働するハブ部５０を有する。図示されたように、シャフト５２の端５４とハブ部５０の底５６との間に空間ｄが介在する。
【００１１】
簡単に説明すると、プログラムは制御ノブ２２をインデックスした位置のうちの選択された一つの位置へ回転することにより選択できる。続いて、選択したプログラムを軸方向運動を実行するために制御ノブ２２を押すことにより確認する。ハブ部５０の底５６とシャフト５２の端５４との間の空間ｄの寸法に対応する距離の後で底５６が端５４上に作用してシャフト５２を所定距離移動させて電子プログラムセレクタ１８により対応する信号を発生させる。シャフト５２のこの運動は正常でありかつ受容されるが、乱暴な取り扱いにより制御ノブ２２が更に押される場合には過剰力は、容易に損傷を受けるプログラムセレクタ１８によるのではなく、ハウジング１０により処理される。従って、この過剰力は、制御ノブ２２の内端面５８が後ハウジング部材３２上の対応する面６０と係合することにより、ハウジングの後部材３２へ伝達される。この係合は制御ノブ２２が軸方向へ空間ｄを越える所定距離を移動するときに発生する。
【００１２】
電子プログラムセレクタ１８を更に保護するために、バネ装置４８が設けられる。バネ装置４８のバネ力は制御ノブ２２が軸方向へ、内端面５８がハウジングの後部材３２上の面６０と係合する位置まで移動するときに、プログラムセレクタ１８上に作用する最大力を決定する。
【００１３】
上述のごとく、制御ノブ組立体は、強健に構成され、可能性のある乱暴取り扱いおよび侵入活動に対して保護を提供する。上述の実施形態は本発明を実施するための一例である。他の可能形態が特許請求の範囲に記載の本発明の範囲内に含まれる。
【図面の簡単な説明】
【００１４】
【図１】クリーニング屋の洗濯機のためのプログラムセレクタ装置に含まれる制御ノブ組立体の上面図である。
【図２】図１の装置の分解図である。
【図３】図１のＩＩＩ−ＩＩＩ線に沿った断面図である。
【図１】
2008527625.tif 000003
【図２】
2008527625.tif 000004
【図３】
2008527625.tif 000005
【国際調査報告】
2008527625.tif 000006
2008527625.tif 000007
2008527625.tif 000008